(57)【要約】【課題】  簡単に準備することができるとともに、効果的な形状、図柄のかかしを安価に提供する。【解決手段】  塩化ビニールシートなどの軟質合成樹脂製シート材で、胴部２や頭部３を含むかかし本体１を密封される袋状に形成し、空気を入れて膨らませることによってかかしの全体形状を保持させる。かかし本体１の背面において、上下縦方向の複数位置に紐係止部７を配置することによって、支柱11などに縛り付けて設置することができる。かかし本体１の胴部２の上部と、頭部３の頂部にそれぞれ紐係止部６や９を配置するとより便利である。また、かかし本体１の一部に、磁石片10を装着することによって、磁気による鳥よけ効果を発揮する。【選択図】  図３
0003110245.tif 000002
【実用新案登録請求の範囲】
【請求項１】
塩化ビニールシートなどの軟質合成樹脂製シート材で、胴部や頭部を含むかかし本体を密封される袋状に形成し、空気を入れて膨らませることによってかかしの全体形状を保持させ、かかし本体の背面において、上下縦方向の複数位置に紐係止部を配置したことを特徴とするかかし。
【請求項２】
かかし本体の胴部の上部と、頭部の頂部にそれぞれ紐係止部を配置したことを特徴とする請求項１記載のかかし。
【請求項３】
胴部と頭部をそれぞれ袋状に形成し、該袋状に形成した胴部と頭部を接合してかかし本体とし、前記胴部と頭部の間に小さな通気孔を形成したことを特徴とする請求項１又は２記載のかかし。
【請求項４】
かかし本体の胴部は、上半身のみで形成し、下半身を含まない請求項１ないし３のいずれかに記載のかかし。
【請求項５】
かかし本体の一部に、シート磁石などの磁石片を装着したことを特徴とする、請求項１ないし４のいずれかに記載のかかし。
【考案の詳細な説明】
【技術分野】
【０００１】
この考案は、主とし鳥類をおどすために使用されるかかし(案山子)であって、軟質の塩化ビニール樹脂などのシート材で、風船のように空気で膨らませて使用するかかしの構造に関するものである。
【背景技術】
【０００２】
雀や烏などの、鳥類による農作物被害を防止するため、鳥よけ、具体的にはおどしの手段として古くからかかしが使用されている。従来、使用されているかかしは、藁人形のようなものを一々手作りしているのが一般的であった。このようなものでは、作るのに手間が掛かり面倒であるとともに、出来栄えにムラがあり、かかしとして必ずしも効果的でない場合があるとともに、嵩張るため保管にも困る。そのため、シーズンごとの使い捨てであるため、毎年作って使用するのが普通であった。
【考案の開示】
【考案が解決しようとする課題】
【０００３】
従来のかかしは、毎年手作りしているため手間が掛かるとともに、必ずしも効果的なものを作ることができない欠点があった。仮に、人形(マネキン人形等)を、かかしとして使用する場合は、嵩張るため保管や取扱いに不便であるという欠点を生じる。
上記、従来のかかしの欠点に鑑み、本考案は簡単に準備することができるとともに、効果的な形状、図柄のかかしを安価に提供することを目的とするものである。
【課題を解決するための手段】
【０００４】
従来技術の欠点を解消するため、請求項１記載の本考案に係るかかしは、塩化ビニールシートなどの軟質合成樹脂製シート材で、胴部２や頭部３を含むかかし本体１を密封される袋状に形成し、空気を入れて膨らませることによってかかしの全体形状を保持させる。そして、かかし本体１の背面において、上下縦方向の複数位置に紐係止部７，７を配置する。
【０００５】
請求項２記載の考案は、かかし本体１の胴部２の上部に紐係止部６を、頭部３の頂部に紐係止部９を配置することである。
請求項３記載の考案は、かかし本体１の胴部２と頭部３をそれぞれ袋状に形成し、袋状に形成した胴部２と頭部３を接合してかかし本体を完成させる。このこき、胴部２と頭部３の間に小さな通気孔12を設けるものである。
請求項４記載のかかしは、かかし本体１の胴部２を上半身のみで形成し、下半身を含まない。請求項５記載の考案は、かかし本体１の一部、例えば耳部５の内部に、シート磁石などの磁石片10を装着したものである。
【考案の効果】
【０００６】
請求項１記載の本考案かかしによれば、従来は一々手作りしていたかかしを、空気を入れて膨らませるだけで簡単に完成し、かかし本体１の背面に配置した紐係止部７を利用して、竹材などの支柱11に縛り付けるだけで、田圃などに簡単に設置することができる。このとき、かかしの表面(例えば顔面)に、かかしとして脅し効果の大きな図柄を印刷しておくことによって、出来、不出来なく効果的なかかしを設置することができる。また、このかかしは、風船のように膨らませて利用するものであるため、軽くて取扱いに便利であるとともに、折り畳んで嵩張らない状態で保管しておくことができる。
【０００７】
請求項２記載の考案によれば、かかしの頭部３に帽子を被せるなどの装飾を施した場合に、紐係止部６を利用して容易に取り付けを行なうことができる。この、紐係止部６は、帽子のあご紐だけでなく、任意の装飾を固定するのに利用することができる。
【０００８】
請求項３記載の考案によれば、複雑な形状のかかし本体１を胴部２と頭部３とに別々に製造することができる。そして、胴部２に空気を注入することによって、頭部３も膨らませることができるとともに、膨らませた内圧によって頭部３が固定されてしまわず、胴部２と頭部３が、自然な状態で動くように形成され、より真実味のあるかかしを実現することができる。
【０００９】
請求項４記載の考案によれば、かかし本体１の胴部２を上半身のみで形成することによって製造や取扱いが容易となり、できるだけ安価に提供することができる。上半身だけのものであっても、かかしの効果(おどし効果)にはさしたる影響がない。
【００１０】
請求項５記載の発明によれば、かかし本体１の一部に、磁石片10を装着することによって、鳥類が嫌う磁気をかかしから発する。これによって、かかしの効果(おどし効果)を増大させることができる。鳥類が磁気を嫌うことは公知であるが、磁石片10をかかし本体１の一部に装着しておくことによって、一々磁石を取付ける必要がなく、効果の大きなかかしを簡単に実現することができる。
【考案を実施するための最良の形態】
【００１１】
以下、本考案に係るかかしの好ましい実施形態を添付の図面に基づいて説明する。
図１は、かかし全体の正面図である。かかし本体１は、全体を塩化ビニールなどの軟質の合成樹脂製シート材で、全体が密封される袋状に形成する。
【００１２】
かかし本体１には、胴部２や頭部３、あるいは手部４、４が含まれる。また、頭部３には、耳部４が形成されている。これら、胴部２、頭部３、手部４及び耳部５は、内部空間が連通する状態で袋状に形成し、その内部に空気を注入して膨らませることによって、立体的な上半身だけの人形の形を保つことができる。すなわち、胴部２には下半身を含まないことによって、全体の大きさを小さくして安価に提供するとともに、空気の注入を容易にするなど、取扱いにも便利なものとする。胴部２の正面上部、すなわち胸部には、紐係止部６を配置している。
【００１３】
胴部２の背面には、図２に示すように上下三箇所に一列に配列される状態で、紐係止部７，７を配置している。また、胴部２の片隅には、空気弁８を配置し、ここから空気を送り込むことができるようにしている。空気弁８は、どのようなものであってもよいが、通常浮き袋などに利用されている、逆止弁付きのものを利用するのが好ましい。また、頭部３の上端、すなわち頭頂部にも、別の紐係止部９を配置している。
【００１４】
胴部２と頭部３は一枚のシート材から製造するものであってもよいが、別々に製造した胴部２と頭部３を接合して一体とするのが好ましい。すなわち、胴部２の所定位置に頭部３を溶着その他の手段で接合し、胴部２と頭部３は比較的小さな通気孔12によって連通させる。このようにすると、胴部２に注入した空気が、通気孔12から頭部に浸入して頭部３を膨らませることができる。
【００１５】
胴部２と頭部３を、首全体で連通するように形成すると、かかし本体１に注入した空気の内圧によって、胴部と首部が不自然に固定された状態となる。しかしながら、図４に示すように、小さな通気孔12で連通するように形成すると、頭部３は胴部２に対してピント張った風船状態ではなく、胴部２に対して頭部３が自然な状態で動き、真実味のあるかかしを実現することができるものである。
【００１６】
頭部３の左右両側に突出させる耳部５は、頭部３との通気路13を狭く形成することによって偏平な状態に膨らむように形成し、その内部に磁石片10を挿入する。磁石片10は、特にその材質、形状が特定されるものではなく、例えば硬い円板状のフェライト磁石であってもよいが、柔軟なシート磁石を挿入しておくと、耳部５を傷付けることもなく、かかし本体１を折り畳んだ場合などに便利である。また、耳部５は、頭部３との通気路13を狭く形成することによって、耳部４内に配置した磁石片10が、耳部５から妄りに移動することがなくなる。
頭部３の前面、すなわち顔面部分の立体形状は、かかしとして相応しい形状とし、鳥類に対するおどし効果が大きな図柄や彩色を施しておく。
【００１７】
上記構造のかかしは、図３のように使用する。すなわち、膨らませた状態で胴部２背面の紐係止部７，７を利用し、田圃や畑に立てた任意の支柱に縛り付けるだけで、かかしの設置が完了する。かかしには、利用者の好み、工夫によって衣類を着せる他、帽子を被せることができる。その場合に、例えば帽子のあご紐を胴部の上部に配置した紐係止部６に結びつけることによって風などで飛ばないようにしっかりと被せることができる。図示していないが、胴部には、上着などを着せて使用することができる。かかしの下半身は、通常、稲などの農作物に隠れる場合が多い他、余り目立たないものであるから省略することができる。
【００１８】
本考案に係るかかしは、上記使用方法の他に、頭部３の上端に配置した紐係止部９を利用して図１に二点鎖線で示すように、ぶら提げて使用することもできる。この場合、風に揺れたりして動く可能性があるが、かかし全体の重量は中空状で、軽いものである。そのため、特別な補強的な支持を行なうことなく、従来にない、吊り下げたかかしを実現することができる。
【００１９】
鳥類は、磁気を嫌うことが知られている。そこで、かかし本体の内部に、シート磁石などの磁石片10を装着することによって、かかしの効果を増大させることができる。磁石片10は、かかし本体１のどの部分に収容してもよいが、図示実施形態のように耳部５の内部に収容させることによって、できるだけ磁気効果を広い範囲に及ばせることができる。また、磁石の配置位置が安定し、妄動しないため取扱いに便利である。
【００２０】
胴部２や頭部などに配置する紐係止部６，７，９は、例えば薄い円板状の平面的な座と環状部分を、軟質の合成樹脂材で一体に成型し、これを所定位置に接着剤などで貼着することによって配置することができる。また、紐係止部，７，７の配置は、かかしを縛り付ける状況を勘案して、上下一列の縦方向だけでなく、千鳥状などの配置とすることも可能である。しかしながら、少なくとも複数位置に配置することによって、安定した直立状態のかかしを実現することができる。背面の紐係止部７，７を上下一列に配列する場合は、一本の支柱に縛り付けることができるし、千鳥状に配置する場合は、例えばネット状のフェンスなどに安定良く縛り付けることができる。
【図面の簡単な説明】
【００２１】
【図１】本考案に係るかかしの正面図、
【図２】本考案に係るかかしの背面図、
【図３】本考案に係るかかしの側面図、
【図４】本考案に係るかかしの頭部取り付け部分の拡大断面図。
【符号の説明】
【００２２】
１…かかし本体、  ２…胴部、  ３…頭部、  ４…手部、  ５…耳部、  ６…紐係止部、  ７…紐係止部、  ８…空気弁、  ９…紐係止部、  10…磁石片、  11…支柱、  12…通気孔。
【図１】
0003110245.tif 000003
【図２】
0003110245.tif 000004
【図３】
0003110245.tif 000005
【図４】
0003110245.tif 000006